(57)【要約】      （修正有）【課題】要介護者の股間部に装着される排泄物受け具によって排泄物の洗浄を行った際に生じる汚水を溜めこむことなく下水管や浄化槽等に直接排出可能な介護用排泄物処理装置における給排水装置を提供する。【解決手段】要介護者の股間部に使用する排泄物受け具の排泄物受けカップの内部を洗浄水で洗浄し、洗浄によって生じた汚水を排泄物受け具から吸引する処理が可能な介護用排泄物処理装置における給排水装置２００であって、前記排泄物受け具に対して洗浄水を供給する洗浄水供給手段と、前記排泄物受け具内の汚水を汚物吸引用ホース２０４を介して吸引するポンプ機能と、筐体２０１の外部に設置された汚水吐出管３０３に対して汚水排出用ホース２０７を介して汚水を圧送するポンプ機能を有する排水用ポンプ２１４とを備える。【選択図】図１
0003217681.tif 000002
【実用新案登録請求の範囲】
【請求項１】
要介護者の股間部に使用する排泄物受け具の排泄物受けカップの内部を洗浄水で洗浄し、洗浄によって生じた汚水を排泄物受け具から吸引する処理が可能な介護用排泄物処理装置における給排水装置であって、
前記排泄物受け具に対して洗浄水を供給する洗浄水供給手段と、
前記排泄物受け具内の汚水を汚物吸引用ホースを介して吸引するポンプ機能と、筐体の外部に設置された汚水吐出管に対して汚水排出用ホースを介して汚水を圧送するポンプ機能を有する排水用ポンプと
を備えることを特徴とする介護用排泄物処理装置における給排水装置。
【請求項２】
前記排水用ポンプは、筐体の外部に設置された汚水吐出管の垂直方向の高さによって決まる必要揚程と水平方向の延伸距離によって決まる必要圧送距離に対応可能な最大揚程と最大水平圧送距離を持つポンプを採用した
請求項１に記載の介護用排泄物処理装置における給排水装置。
【請求項３】
前記排水用ポンプは、汚水に混じった固形物を粉砕してから送り出す機能を備えた排水圧送粉砕ポンプである
請求項１又は２に記載の介護用排泄物処理装置における給排水装置。
【請求項４】
要介護者の股間部に装着される排泄物受け具と、前記排泄物受け具に対して洗浄水を供給しかつ洗浄によって生じた汚水を排泄物受け具から吸引する処理を行う給排水装置と、給排水装置からの汚水を排出する流路としての汚水吐出管とを少なくとも含む介護用排泄物処理装置であって、
前記給排水装置は、
前記排泄物受け具に対して洗浄水を供給する洗浄水供給手段と、
前記排泄物受け具内の汚水を汚物吸引用ホースを介して吸引するポンプ機能と、筐体の外部に設置された汚水吐出管に対して汚水排出用ホースを介して汚水を圧送するポンプ機能を有する排水用ポンプとを備え、
前記汚水吐出管は、
前記給排水装置を設置する環境の壁面及び又は天井面に沿って延伸させるようにした
ことを特徴とする介護用排泄物処理装置。
【請求項５】
前記排水用ポンプは、前記汚水吐出管の垂直方向の高さによって決まる必要揚程と水平方向の延伸距離によって決まる必要圧送距離に対応可能な最大揚程と最大水平圧送距離を持つポンプを採用した
請求項４に記載の介護用排泄物処理装置。
【請求項６】
前記排水用ポンプは、汚水に混じった固形物を粉砕してから送り出す機能を備えた排水圧送粉砕ポンプである
請求項４又は５に記載の介護用排泄物処理装置。
【考案の詳細な説明】
【技術分野】
【０００１】
本考案は、介護用排泄物処理装置における給排水装置及び介護用排泄物処理装置に関する。
【背景技術】
【０００２】
一人で排尿や排便をすることができない寝たきり老人や身動きが不自由な重度の身体障害者等の要介護者は年々増え続けている。
【０００３】
そして、このような要介護者の排尿や排便を自動的に処理するための介護用排泄物処理装置が種々案出され、実用化されている。
【０００４】
また、斯かる介護用排泄物処理装置の基本的な構成は、概ね図７及び図８に示す通りである。
【０００５】
図７及び図８において、１００は要介護者の股間部にあてがう、底板部の受け皿状貯留部に排泄物検知センサ１０１を設け、前板部に下部から順に汚物吸引口と、洗浄水噴射口と、送風吹き出し口を設けた排泄物受け具である。１０２は機器収納ボックスであり、１０３、１０４、１０５は前記排泄物受け具１００と前記機器収納ボックス１０２内に備えた各機器とを連結するホースであり、該１０３は汚物吸引用、該１０４は送風用、該１０５は洗浄水供給用である。
【０００６】
１０６は前記機器収納ボックス１０２内に備えた、前記排泄物受け具１００の汚物吸引口から前記ホース１０３を介して空気と共に洗浄水と排尿・排便からなる汚物を吸引して収容する汚物タンクである。１０７は吸引循環管１０８をもって前記汚物タンク１０６に接続し、該吸引循環管１０８内の気圧を前記汚物タンク１０６内の気圧よりも低い状態として汚物タンク１０６内の気圧との圧力差により汚物タンク１０６からの吸引力を発生させる吸引モータである。また、該吸引モータ１０７は、汚物タンク１０６内の空気を吸引して、途中部に空気浄化フィルタ１１０を備えた吸引循環管１０９に送り出し、該吸引循環管１０９から前記連結ホース１０４に送風するものである。
【０００７】
また、１１１は途中部に送水ポンプ１１２、１１３と、ヒータを備えた温水タンク１１４を設けた洗浄水ホース１１５を接続し、該洗浄水ホース１１５を前記連結ホース１０５を介して前記排泄物受け具１００の洗浄水噴射口に接続する洗浄水タンクである。
【０００８】
また、斯かる介護用排泄物処理装置の作用は、次の通りである。
先ず、要介護者Ｐの股間部に排泄物受け具１００を装着する。そして、排泄物受け具１００の排泄物検知センサ１０１によって排泄物が検知されると、一定時間経過後、送水ポンプ１１３が作動して温水タンク１１４内の適度に加温された洗浄水が洗浄水ホース１１５と連結ホース１０５を介して排泄物受け具１００に送り込まれる。これにより洗浄水噴射口から肛門等に洗浄水を噴射して洗浄し、洗浄後の汚水と排泄物は汚物吸引口へ導かられる。同時に吸引モータ１０７が作動し、排泄物受け具１００の汚物吸引口から連結ホース１０３を介して洗浄後の汚水と排泄物が汚物タンク１０６に吸引される。そして、汚物タンク１０６内の空気は、空気浄化フィルタ１１０によって浄化された後、吸引循環管１０９と連結ホース１０４を介して排泄物受け具１００に送られ、送風吹き出し口から吹き出されて要介護者の股間部を乾燥させるものである。
【０００９】
本考案は、斯かる介護用排泄物処理装置における給排水装置に関するものである。
【００１０】
斯かる給排水装置に関するものは、従来においても種々案出され、実用に供されている（例えば、特許文献１を参照。）。
【００１１】
図７及び図８に示す機器収納ボックスと、特許文献１における機器収納ボックスは、それぞれ排泄物処理のための自動洗浄を制御する制御部を備えた給排水装置として機能している。
【００１２】
これらの従来の給排水装置は、機器収納ボックス内に汚物タンクを備え、洗浄によって生じた汚水を汚物タンクに溜めておき、所定のタイミングで介護者が汚物タンクの中身をトイレ等に流す処理を行うようになっている。このように介護者が汚物タンクを処理する必要があるため、介護者の負担となっているという問題があった。また、要介護者が下痢の場合など、連続して複数回の排泄が行われる場合があるが、汚物タンクの容量の関係上、汚水を溜めておける容量には限界があり、要介護者はその点にも気を使う必要があった。また、空気フィルタ等を使って臭気に気を使っているとしても、汚物タンクの交換時にはどうしも臭気が漏れてしまうという問題があった。
【先行技術文献】
【特許文献】
【００１３】
【特許文献１】特開２０１６−２２３６７号公報
【考案の概要】
【考案が解決しようとする課題】
【００１４】
本考案は上記の点に鑑みなされたものであって、要介護者の股間部に装着される排泄物受け具によって排泄物の洗浄を行った際に生じる汚水を溜めこむことなく下水管や浄化槽等に直接排出可能な介護用排泄物処理装置における給排水装置及び介護用排泄物処理装置を提供しようとするものである。
【課題を解決するための手段】
【００１５】
上記課題を解決するため、本考案に係る介護用排泄物処理装置における給排水装置は、要介護者の股間部に使用する排泄物受け具の排泄物受けカップの内部を洗浄水で洗浄し、洗浄によって生じた汚水を排泄物受け具から吸引する処理が可能な介護用排泄物処理装置における給排水装置であって、前記排泄物受け具に対して洗浄水を供給する洗浄水供給手段と、前記排泄物受け具内の汚水を汚物吸引用ホースを介して吸引するポンプ機能と、筐体の外部に設置された汚水吐出管に対して汚水排出用ホースを介して汚水を圧送するポンプ機能を有する排水用ポンプとを備えることを特徴とする。
【００１６】
前記排水用ポンプは、筐体の外部に設置された汚水吐出管の垂直方向の高さによって決まる必要揚程と水平方向の延伸距離によって決まる必要圧送距離に対応可能な最大揚程と最大水平圧送距離を持つポンプを採用してもよい。
【００１７】
前記排水用ポンプは、汚水に混じった固形物を粉砕してから送り出す機能を備えた排水圧送粉砕ポンプであってもよい。
【００１８】
また、本考案に係る介護用排泄物処理装置は、要介護者の股間部に装着される排泄物受け具と、前記排泄物受け具に対して洗浄水を供給しかつ洗浄によって生じた汚水を排泄物受け具から吸引する処理を行う給排水装置と、給排水装置からの汚水を排出する流路としての汚水吐出管とを少なくとも含む介護用排泄物処理装置であって、前記給排水装置は、前記排泄物受け具に対して洗浄水を供給する洗浄水供給手段と、前記排泄物受け具内の汚水を汚物吸引用ホースを介して吸引するポンプ機能と、筐体の外部に設置された汚水吐出管に対して汚水排出用ホースを介して汚水を圧送するポンプ機能を有する排水用ポンプとを備え、前記汚水吐出管は、前記給排水装置を設置する環境の壁面及び又は天井面に沿って延伸させるようにしたことを特徴とする。
【考案の効果】
【００１９】
本考案は上記の如き構成であり、給排水装置に対して、排泄物受け具に対して洗浄水を供給する洗浄水供給手段と、排泄物受け具内の汚水を汚物吸引用ホースを介して吸引するポンプ機能と筐体の外部に設置された汚水吐出管に対して汚水排出用ホースを介して汚水を圧送するポンプ機能を有する排水用ポンプとを備えるようにしたので、排泄物の洗浄を行った際に生じる汚水を給排水装置内部に溜めこむことなく汚水吐出管によって下水管や浄化槽等に直接排出することが可能となる。これにより、介護者の負担を軽減することが可能となり、また、臭気の漏れを気にする必要がなくなる。
【図面の簡単な説明】
【００２０】
【図１】本考案の実施形態に係る介護用排泄物処理装置における給排水装置のブロック図である。
【図２】本考案の実施形態に係る介護用排泄物処理装置における排泄物受け具の斜視図である。
【図３】排泄物受け具の排泄物受けカップの前面側から看た斜視図である。
【図４】排泄物受け具の背面側から看た斜視図である。
【図５】一部切欠して示した装着固定部材の斜視図である。
【図６】排泄物受け具の装着方法の説明図である。
【図７】従来における介護用排泄物処理装置の概略的斜視図である。
【図８】従来における介護用排泄物処理装置の概略的構成図である。
【考案を実施するための形態】
【００２１】
以下、本考案を実施するための形態について、図面を参照して説明する。本考案に係る介護用排泄物処理装置は、排泄物受け具、給排水装置、及び、壁面、天井等の内側又は壁面又は天井に沿って設置される汚水吐出管とで構成されることを特徴とする。
【００２２】
図１は、本考案の実施形態に係る介護用排泄物処理装置における給排水装置のブロック図である。この図１に示すように、給排水装置２００は、筐体２０１の内部に各種構成を備え、同時に使用される排泄物受け具に対して接続される３つのホース、具体的には、洗浄水供給用ホース２０２、送風用ホース２０３、及び、汚物吸引用ホース２０４が筐体２０１から引き出されている。また、給排水装置２００は、外部から洗浄水を取水するための洗浄水取水用ホース２０５、外部に対して排気を行うための排気用ホース２０６、及び、外部に対して汚物を排出するための汚水排出用ホース２０７が筐体２０１から引き出されている。
【００２３】
また、図１に示すように、洗浄水取水用ホース２０５から取水した洗浄水は、電気制御によって開閉される電磁弁２０８を介して給水用タンク２０９に溜められる。電磁弁２０８は、例えば、給水タンク２０９の水位が所定値より低くなったことを水位センサ等で検知した場合に自動で開口させて取水するといった制御が考えられる。給水用タンク２０９に溜められた洗浄水は、送水ポンプ２１０によって温水タンク２１１に溜められる。温水タンク２１１は、要介護者の股間部の洗浄に用いても要介護者が不快に感じない温度まで洗浄水を加熱する機能を有する。温水タンク２１１に溜められた温水は、要介護者の股間部の洗浄が必要であるとセンサが感知した場合に、送水ポンプ２１２によって洗浄水供給用ホース２０２から排泄物受け具に供給される。送風用モータ２１３は、送風用ホース２０３によって排泄物受け具に対して股間部を乾燥させるための風を供給する機能を有する。送風用モータ２１３は、要介護者の股間部の洗浄が必要であるとセンサが感知した場合に機能する。排水用ポンプ２１４は、排泄物受け具の内側で要介護者の股間部を洗浄することで生じた汚水及び排泄物を汚物吸引用ホース２０４を介して吸引するポンプ機能を有するとともに、筐体２０１の外部に対して汚水排出用ホース２０７を介して汚水を圧送するポンプ機能を有する。また、排水用ポンプ２１４は、送風用モータ２１３によって排泄物受け具の内側に送風された空気を汚物吸引用ホース２０４を介して吸引するポンプ機能を有するとともに、筐体２０１の外部に対して排気用ホース２０６を介して送風に用いた空気を排出するポンプ機能を有するものであってもよい。また、給排水装置２００は、排泄物受け具における洗浄を含む各種処理に関連して給排水装置２００内の各部を制御（詳細は省略）するための制御ユニット２１５を備えている。
【００２４】
また、図１に示すように、本考案に係る介護用排泄物処理装置を適用する環境には、壁面及び天井内に３本の配管が設けられている。３本の配管は、給排水装置２００に対して洗浄水を供給するための給水管３０１と、排気用ホース２０６からの排気を室外に排出するための排気管３０２と、汚水排出用ホース２０７からの汚水を室外に排出するための汚水吐出管３０３である。給水管３０１と洗浄水取水用ホース２０５、排気管３０２と排気用ホース２０６、汚水吐出管３０３と汚水排出用ホース２０７は、それぞれ漏れが発生しない強固なコネクタ３０４によって接続される。給水管３０１は水道管と接続され、排気管３０２は換気口などと接続され、汚水吐出管３０３は下水管や浄化槽と接続される。なお、給水管３０１、排気管３０２及び汚水吐出管３０３は、壁面及び天井面の内側に設置するようにしてもよいし、壁面及び天井面に外から固定するようにしてもよい。
【００２５】
排水用ポンプ２１４は、汚水排出用ホース２０７を介して排泄物受け具から吸い出した汚水を、汚水吐出管３０３を通して下水管や浄化槽まで排出する能力が要求される。具体的には、室内の壁面に垂直方向に伸びた汚水吐出管３０３を天井部分の高さまで揚水するポンプ能力と、天井箇所を含む水平方向に伸びる汚水吐出管３０３の距離の分だけ圧送するポンプ能力が要求される。よって、介護用排泄物処理装置を適用する環境における汚水吐出管３０３の垂直方向の高さによって決まる必要揚程と、汚水吐出管３０３の水平方向の延伸距離によって決まる必要圧送距離とに十分対応可能な最大揚程と最大水平圧送距離を持つポンプを採用する必要がある。また、排水用ポンプ２１４は、洗浄水と固形の排泄物が混じった汚水が管内に詰まることなく流れるようにするために、固形物を粉砕してから送り出す排水圧送粉砕ポンプであることが好ましい。
【００２６】
本考案の実施形態に係る介護用排泄物処理装置における排泄物受け具は、例えば、図２乃至図５に示す排泄物受け具１が挙げられる。図２は、本考案の実施形態に係る介護用排泄物処理装置における排泄物受け具の斜視図である。図３は、排泄物受け具の排泄物受けカップの前面側から看た斜視図である。図４は、排泄物受け具の背面側から看た斜視図である。図５は、一部切欠して示した装着固定部材の斜視図である。なお、本考案は給排水装置２００の構造及び汚水吐出管３０３の配置に特徴を有するものであるため、排泄物受け具の構造は必ずしも図２乃至図５に示す構造に限定されるものではない。
【００２７】
図２乃至図５に示すように、排泄物受け具１は、樹脂により一体成型された底板部２及び該底板部２から立ち上がる軸断面コ字形の前板部３と、該前板部３の上端部に接合して一体化される蓋部４とからなる排泄物受けカップ５と、前記排泄物受けカップ５を装着者の股間部に固定する後記装着固定部材とをもって構成される。
【００２８】
また、前記排泄物受けカップ５における底板部２には、排泄物を受ける受け皿状貯留部２Ａを設けると共に、該受け皿状貯留部２Ａに排泄物検知センサ６を設ける。更に、該受け皿状貯留部２Ａの開口部から前記前板部３の縁にかけて、表面に、装着者の肌に液漏れしない程度に貼り付く適度の粘着性を有する漏れ防止用のシリコンゴム７を盛り付ける。
尚、斯かるシリコンゴム７の盛り付けは、帯状のシリコンゴムを接着剤により接着したり、熱により融着したり、或いはシリコンゴムの溶融体を肉厚に塗布し、硬化させる等の適宜の手段でもって行えばよい。また、該シリコンゴム７は、装着者の肌に広い面で接触するように、表面が平坦で且つ適度の幅を有する帯状の形態にすることが望ましい。また、粘着性の程度は、装着者の肌に液漏れしない程度にソフトに貼り付く程度でよく、粘着性が高過ぎると引き剥がすときに装着者の皮膚を強く引っ張り、苦痛を与えることになる。
【００２９】
また、汚物吸引口８と、洗浄水噴射口９と、送風吹き出し口１０を設けた前記前板部３の上端部に接合して一体化される前記蓋部４は、前記底板部２と対向する面に、装着者の肌に液漏れしない程度に貼り付く適度の粘着性を有するシリコンゴムのシートからなり、前記底板部２より大きい面積を有すると共に、中央部には前記前板部３から連続する、外側に膨出する細長い皿状の膨隆部４Ａを形成し、且つ該膨隆部４Ａの延出方向の先端部に複数の通気小孔１１を設けている。尚、前記通気小孔１１は、受け皿状貯留部２Ａ内の汚物の吸引を行う際の負圧により膨隆部４Ａが萎むことを防ぐためのものである。
【００３０】
また、上記の如く、シリコンゴム７の表面と、蓋部４におけるシリコンゴムのシートの底板部２との対向面に粘着性を持たせるには、アクリル系粘着剤を塗布する等の適宜の手段で行えばよい。また、斯かるアクリル系粘着剤の塗布に代えて、自己粘着性を有する粘着性シリコンゴムを用いてもよい。この場合には、上記蓋部４におけるシリコンゴムのシートにおいては、底板部２との対向面と反対側の面に、即ち、外側の面にポリエチレン系の保護フィルムを貼付するものである。尚、片面にのみ自己粘着性を有する粘着性シリコンゴムシートを用いるようにした場合には、斯かる保護フィルムは不要である。
【００３１】
また、前記前板部３の外面側には、汚物吸引用ホースの接続口３Ａと、洗浄水供給用ホースの接続口３Ｂと、送風用ホースの接続口３Ｃ、並びにセンサーコード接続口３Ｄが設けられている。
【００３２】
また、前記装着固定部材１２は、布等の柔軟な素材をもって装着者の臀部から腹部を包み込むに足りる長さを有する帯状となすと共に、長さ方向の両端部に、止着位置を変更できる適宜の止着部材１３を設け、更に、長さ方向の中央部に、装着者の臀部より広い適度の弾性のパッド部１４を設けると共に、該パッド部１４の前端中央部に凹部１４Ａを設け、該凹部１４Ａ内に前記排泄物受けカップ５の底板部２を着脱自在に固定している。
【００３３】
尚、上記止着部材１３としては、面ファスナーが好ましく、装着固定部材１２の長さ方向の一方側の端部にはフック側の面ファスナー１３Ａを、またもう一方の側の端部にはループ側の面ファスナー１３Ｂを縫着している。また、前記パッド部１４の凹部１４Ａ内に排泄物受けカップ５の底板部２を固定する手段としては、面ファスナーを用いる手段が好ましい。そして、装着固定部材１２は前記排泄物受けカップ５とは別体で、夫々を自由に分離することができるから、夫々を切り離して清掃や交換を行うことができるものである。その他、図において１５は連結ホースを纏めて包む補助カバーである。
【００３４】
図６は、排泄物受け具の装着方法の説明図である。排泄物受け具１を要介護者に装着するときには、図５に示す手順に従って行う。尚、装着する前に装着者Ｐの陰毛の剃毛を行うことが望ましい。先ず、図６（Ａ）に示す如く、排泄物受けカップ５を装着者Ｐの腰の奥まで押し込む。このとき、受け皿状貯留部２Ａが肛門の真下に位置するようにする。次に、図６（Ｂ）に示す如く、蓋部４を装着者の陰部を包み込むようにセットし、下腹部にフィットさせる。尚、このときには粘着力を利用して行う。そして、最後に、図６（Ｃ）に示す如く、装着固定部材１２を装着者の臀部から腹部にかけて巻き回し、排泄物受けカップ５を固定するものである。そしてまた、その後介護用排泄物処理装置の各機器を作動させ、受け皿状貯留部２Ａ内の排泄物を検知すると前記の通り洗浄、汚物吸引、送風を行うものである。
【００３５】
次に、本考案の実施形態に係る介護用排泄物処理装置の作用について説明を行う。先ず、要介護者が排泄を行うと、排泄物受け具１の排泄物検知センサ６がそれを検知し、制御ユニット２１５に信号が送られる。制御ユニット２１５は、排泄を検知した場合には、予め温水タンク２１１に溜めて所定の温度まで温められた温水を送水ポンプ２１２によって排泄物受け具１の排泄物受けカップ５の内部に供給して要介護者の股間の洗浄を行う。同時に、洗浄によって生じた汚水を吸引すべく排水用ポンプ２１４を駆動させて、排泄物受けカップ５の内部の汚水を吸出す。吸い出した汚水は、排水用ポンプ２１４を通過して更に汚水吐出管３０３に排出される。排水用ポンプ２１４は、予め汚水吐出管３０３内の汚水を天井方向の高さ分だけ揚水可能な性能を持たせているので、汚水は壁面内の汚水吐出管３０３内を垂直方向に揚水され、その後天井内の汚水吐出管３０３内を水平方向に圧送されて、最終的に下水管又は浄化槽まで排出される。要介護者の股間の洗浄が完了した場合には、温水の提供を停止する。次に、要介護者の股間の乾燥を行うために、送風用モータ２１３を駆動させて、排泄物受けカップ５の内部に送風を行う。排泄物受けカップ５の内部に送られた空気は、排水用ポンプ２１４によって吸い出して、排気管３０２から排出するようにしてもよい。介護用排泄物処理装置は、乾燥手順完了をもって一連の処理を終了する。
【００３６】
以上のように、本考案に係る介護用排泄物処理装置によれば、給排水装置に対して、排泄物受け具に対して洗浄水を供給する洗浄水供給手段と、排泄物受け具内の汚水を汚物吸引用ホースを介して吸引するポンプ機能と筐体の外部に設置された汚水吐出管に対して汚水排出用ホースを介して汚水を圧送するポンプ機能を有する排水用ポンプとを備えるようにしたので、排泄物の洗浄を行った際に生じる汚水を給排水装置内部に溜めこむことなく汚水吐出管によって下水管や浄化槽等に直接排出することが可能となる。これにより、介護者の負担を軽減することが可能となり、また、臭気の漏れを気にする必要がなくなる。
【００３７】
また、排水用ポンプについて、汚水吐出管の垂直方向の高さによって決まる必要揚程と水平方向の延伸距離によって決まる必要圧送距離に対応可能な最大揚程と最大水平圧送距離を持つポンプを採用するようにすることで、壁面と天井に沿って汚水吐出管を配置したとしても汚水を問題なく揚水、圧送することが可能となる。介護用排泄物処理装置を介護施設や住居の一室に対して後付工事を行って設置する場合、汚水吐出管を床面に配置してしまうと要介護者の歩行の邪魔になるおそれがあるが、本考案によれば、壁面と天井に沿って配置した汚水吐出管であっても汚水を問題なく揚水、圧送可能な排水用ポンプを採用することで、要介護者の歩行を阻害する足元を避けて、壁面と天井に沿って汚水吐出管を配置することが可能となる。
【００３８】
なお、図１においては、汚水吐出管３０３の他に、給水管３０１と排気管３０２についても設置する例を用いて説明を行ったが、これに限定されるものではない。洗浄水の補給は必ずしも給水管３０２からである必要はなく、給水タンクに対して介護者が洗浄水を補給する手法であってもよい。逆に、給水管３０２から適温の温水の供給が可能な構成であるならば、給水管３０２から直接洗浄水供給用ホース２０２に対して温水を供給する構成であってもよい。この場合には、給水タンク２０９及び温水タンク２１１を設ける必要がなくなる。また、必ずしも排気管３０２を採用する必要はなく、汚水吐出管３０３から一緒に排気する構成であってもよい。
【００３９】
また、前記実施の形態においては、洗浄に利用した温水の量と汚水吐出管３０３から排出する汚水の量は同じものとして説明を行ったが、要介護者の股間の洗浄に必要な温水の量と、汚水吐出管３０３内部の汚水を十分に流し切るために必要な水量とには差がある場合がある。そこで、図１に破線で示すように、給水用タンク２０９から排水用ポンプ２１４に対して水を供給するためのホースを接続して、汚水吐出管３０３内部の汚水を十分に排出するために、給水用タンク２０９から排水用ポンプ２１４に対して水を供給するようにしてもよい。本考案のように、汚水吐出管３０３を壁面や天井に沿って延伸させるとその経路が長くなり、汚水を十分に流し切るために必要な水量も多くなることから、このような構成とすることで対応するようにしてもよい。
【符号の説明】
【００４０】
１  排泄物受け具
２  底板部
２Ａ  受け皿状貯留部
３  前板部
３Ａ  汚物吸引用ホースの接続口
３Ｂ  洗浄水供給用ホースの接続口
３Ｃ  送風用ホースの接続口
４  蓋部
４Ａ  膨隆部
５  排泄物受けカップ
６  排泄物検知センサ
７  漏れ防止用のシリコンゴム
８  汚物吸引口
９  洗浄水噴射口
１０  送風吹き出し口
１１  通気小孔
１２  装着固定部材
１３  止着部材
１４  パッド部
１４Ａ  凹部
２００  給排水装置
２０１  筐体
２０２  洗浄水供給用ホース
２０３  送風用ホース
２０４  汚物吸引用ホース
２０５  洗浄水取水用ホース
２０６  排気用ホース
２０７  汚水排出用ホース
２０８  電磁弁
２０９  給水用タンク
２１０  送水ポンプ
２１１  温水タンク
２１２  送水ポンプ
２１３  送風用モータ
２１４  排水用ポンプ
２１５  制御ユニット
３０１  給水管
３０２  排気管
３０３  汚水吐出管
３０４  コネクタ
【図１】
0003217681.tif 000003
【図２】
0003217681.tif 000004
【図３】
0003217681.tif 000005
【図４】
0003217681.tif 000006
【図５】
0003217681.tif 000007
【図６】
0003217681.tif 000008
【図７】
0003217681.tif 000009
【図８】
0003217681.tif 000010